(57)【要約】【課題】構造強度を確保しつつ、厚さを薄くすることができるスライドレールを提供する。【解決手段】本開示は、Ｎ極とＳ極とが長手方向に交互に配列される第１の磁性部が設置される第１のスライド部と、Ｎ極とＳ極とが長手方向に交互に配列される第２の磁性部が設置される第２のスライド部と、を含み、第１のスライド部が、第２のスライド部に長手方向にスライド可能に取り付けられ、第１のスライド部と第２のスライド部とが相対スライドする過程において、第１の磁性部と第２の磁性部とは、位置が対向し、引き合いと反発し合いとの２つの状態間で変換可能であるスライドレールに関する。本開示に記載のスライドレールは、スライドレールのライフサイクル内に、第１の磁性部と第２の磁性部とによって発生された磁場が安定に維持され、両者の吸引力及び反発力が時間に伴って変化せず、スライドレールのスライド手触りも変化しない。【選択図】図１
2020532885.tif 000002
【特許請求の範囲】
【請求項１】
Ｎ極とＳ極とが長手方向に交互に配列される第１の磁性部が設置される第１のスライド部と、
Ｎ極とＳ極とが前記長手方向に交互に配列される第２の磁性部が設置される第２のスライド部と、を含み、
前記第１のスライド部が、前記第２のスライド部に前記長手方向にスライド可能に取り付けられ、
前記第１のスライド部と前記第２のスライド部とが相対スライドする過程において、前記第１の磁性部と前記第２の磁性部とは、位置が対向し、引き合いと反発し合いとの２つの状態間で変換可能である、
ことを特徴とするスライドレール。
【請求項２】
前記第１の磁性部は、前記第１のスライド部の幅方向の反対の両側に設置され、前記第２の磁性部は、前記第２のスライド部の幅方向の反対の両側に設置される、
ことを特徴とする請求項１に記載のスライドレール。
【請求項３】
前記第２の磁性部の前記長手方向における寸法は、前記第１の磁性部の前記長手方向における寸法より長い、
ことを特徴とする請求項１に記載のスライドレール。
【請求項４】
前記第１の磁性部及び前記第２の磁性部は、前記長手方向に配列される複数の磁性体を有する、
ことを特徴とする請求項３に記載のスライドレール。
【請求項５】
各前記磁性体のＮ極とＳ極とが前記スライドレールの幅方向に設置される、
ことを特徴とする請求項４に記載のスライドレール。
【請求項６】
前記第１のスライド部は、第１の位置から第２の位置まで前記第２のスライド部に対してスライドし、各前記磁性体のＮ極とＳ極との前記長手方向における長さをＬとし、前記第１のスライド部が前記第１の位置と前記第２の位置との間でスライドするストロークは、≦２Ｌであり、かつ＞Ｌである、
ことを特徴とする請求項４に記載のスライドレール。
【請求項７】
前記第１の磁性部と前記第２の磁性部とは、高さが同じである、
ことを特徴とする請求項１に記載のスライドレール。
【請求項８】
前記第１のスライド部のストロークの範囲内に、前記第１のスライド部は、前記第１の磁性部と前記第２の磁性部とが引き合う第１の位置及び第２の位置を有し、前記第１の位置と前記第２の位置との間に、前記第１のスライド部は、前記第１の磁性部と前記第２の磁性部とが反発し合う第３の位置を有する、
ことを特徴とする請求項１に記載のスライドレール。
【請求項９】
第１の位置制限部により前記第１のスライド部が第１の位置に制限され、第２の位置制限部により前記第１のスライド部が第２の位置に制限され、前記第１のスライド部が前記第１の位置及び前記第２の位置にある場合、前記第１の磁性部と前記第２の磁性部との対向する部分の極性が異なり、前記第１のスライド部と前記第２のスライド部とが引き合う、
ことを特徴とする請求項８に記載のスライドレール。
【請求項１０】
第１の位置制限部により前記第１のスライド部が第１の位置に制限され、第２の位置制限部により前記第１のスライド部が第２の位置に制限され、前記第１のスライド部が前記第１の位置及び前記第２の位置にある場合、前記第１の磁性部と前記第２の磁性部との対向する部分は、極性が異なる部分と極性が同じである部分とを有し、前記極性が異なる部分が、前記極性が同じである部分より多く、前記第１のスライド部と前記第２のスライド部とが引き合う、
ことを特徴とする請求項８に記載のスライドレール。
【請求項１１】
前記第１の磁性部と前記第２の磁性部とが引き合う前記第１の位置及び/又は前記第２の位置で、前記第１の磁性部と前記第２の磁性部との対応する磁性体のずれた距離は、Ｌ/２より小さい、
ことを特徴とする請求項１０に記載のスライドレール。
【請求項１２】
前記第２の磁性部の中央に、前記磁性体を設置しない空席が設置される、
ことを特徴とする請求項４に記載のスライドレール。
【請求項１３】
前記空席の前記長手方向における寸法は、１つの磁性体の長さである、
ことを特徴とする請求項１２に記載のスライドレール。
【請求項１４】
前記第１の磁性部及び/又は第２の磁性部は、永久磁石又は電磁石を含む、
ことを特徴とする請求項１〜１３のいずれかに記載のスライドレール。
【請求項１５】
請求項１〜１４のいずれかに記載のスライドレールを含む、
ことを特徴とする移動端末。
【発明の詳細な説明】
【技術分野】
【０００１】
本開示は、スライドレール及び当該スライドレールを含む移動端末に関する。
【背景技術】
【０００２】
携帯電話の「フルスクリーン表示」というコンセプトの普及に伴い、「フルスクリーン表示」携帯電話の分野において、各メーカー間の競争も日々激しくなり、いずれもさらに高い画面比率の携帯電話製品のデザインを求めている。しかしながら、携帯電話の正面一面がスクリーン表示である「フルスクリーン表示」という目標を実現するには、フロントカメラが隠せないのは、最大のボトルネックである。携帯電話にスライドカバーを用いて、フロントカメラのような一部の素子をスクリーンのサイズ範囲に収納することができ、フロントカメラを使用する場合、スライドカバーをスライドアウトする。スライドカバーは、スライドレールを介して本体に接続される。
【０００３】
関連技術におけるスライドレールは、アッパースライドプレートと、ダウンスライドプレートと、ばねと、を含み、アッパースライドプレートとダウンスライドプレートとが、スライド可能に取り付けられ、ばねの一端がアッパースライドプレートに取り付けられ、ばねの他端がダウンスライドプレートに取り付けられ、このようなスライドレールには、以下の欠点が存在する。
【０００４】
１、スライドレールに用いられるばねの厚さだけでも０．６ｍｍ以上であるため、スライドレールの厚さは、約１.６ｍｍである。ばね自体が占める空間によってスライドレール全体の厚さを薄くすることができないので、より薄いスライドレールを作ることができず、携帯電話のような移動端末の厚さを薄くすることができない。
【０００５】
２、スライドレールの厚さを薄くするために、通常は、スライドレールのダウンスライドプレートをくり抜いてばねを収容するので、スライドレールの強度が低減される。
【０００６】
３、ばねの耐疲労性が悪く、スライドレールのライフサイクルにおいて、使用時間が増えるにつれて、ばねの弾力特性が変化し、ユーザの使用手触りに影響を与える。
【０００７】
４、スライドレールのスライド過程において、ばねのスライドレールの高さ方向における弾力変化によって、スライドレールのアッパー・ダウンスライドプレート間の隙間は、均一ではない。
【０００８】
５、スライドレールがある位置（デッドポイント）にスライドした場合、ばねの弾力方向が切り替えられて、スライドレールが停止になる。
【発明の概要】
【発明が解決しようとする課題】
【０００９】
関連技術における課題を解決するために、本開示は、構造強度を確保しつつ、厚さを薄くすることができるスライドレールを提供する。
【課題を解決するための手段】
【００１０】
本開示の実施例の第１側面は、Ｎ極とＳ極とが長手方向に交互に配列される第１の磁性部が設置される第１のスライド部と、
Ｎ極とＳ極とが前記長手方向に交互に配列される第２の磁性部が設置される第２のスライド部と、を含み、前記第１のスライド部が、前記第２のスライド部に前記長手方向に沿ってスライド可能に取り付けられ、
前記第１のスライド部と前記第２のスライド部とが相対スライドする過程において、前記第１の磁性部と前記第２の磁性部とは、位置が対向し、引き合いと反発し合いとの２つの状態間で変換可能であるスライドレールを提供する。
【００１１】
少なくとも１つの実施例において、前記第１の磁性部は、前記第１のスライド部の幅方向の反対の両側に設置され、前記第２の磁性部は、前記第２のスライド部の幅方向の反対の両側に設置される。
【００１２】
少なくとも１つの実施例において、前記第２の磁性部の前記長手方向における寸法は、前記第１の磁性部の前記長手方向における寸法より長い。
【００１３】
少なくとも１つの実施例において、前記第１の磁性部及び前記第２の磁性部は、前記長手方向に配列される複数の磁性体を有する。
【００１４】
少なくとも１つの実施例において、各前記磁性体のＮ極とＳ極とが前記スライドレールの幅方向に設置される。
【００１５】
少なくとも１つの実施例において、前記第１のスライド部は、第１の位置から第２の位置まで前記第２のスライド部に対してスライドし、各前記磁性体のＮ極とＳ極との前記長手方向における長さをＬとし、前記第１のスライド部が前記第１の位置と前記第２の位置との間のスライドするストロークは、≦２Ｌであり、かつ＞Ｌである。
【００１６】
少なくとも１つの実施例において、前記第１の磁性部と前記第２の磁性部とは、高さが同じである。
【００１７】
少なくとも１つの実施例において、前記第１のスライド部のストロークの範囲内に、前記第１のスライド部は、前記第１の磁性部と前記第２の磁性部とが引き合う第１の位置及び第２の位置を有し、前記第１の位置と前記第２の位置との間に、前記第１のスライド部は、前記第１の磁性部と前記第２の磁性部とが反発し合う第３の位置を有する。
【００１８】
少なくとも１つの実施例において、第１の位置制限部により前記第１のスライド部が第１の位置に制限され、第２の位置制限部により前記第１のスライド部が第２の位置に制限され、前記第１のスライド部が前記第１の位置及び前記第２の位置にある場合、前記第１の磁性部と前記第２の磁性部との対向する部分の極性が異なり、前記第１のスライド部と前記第２のスライド部とが引き合う。
【００１９】
少なくとも１つの実施例において、第１の位置制限部により前記第１のスライド部が第１の位置に制限され、第２の位置制限部により前記第１のスライド部が第２の位置に制限され、前記第１のスライド部が前記第１の位置及び前記第２の位置にある場合、前記第１の磁性部と前記第２の磁性部との対向する部分は、極性が異なる部分と極性が同じである部分とを有し、前記極性が異なる部分が、前記極性が同じである部分より多いため、前記第１のスライド部と前記第２のスライド部とが引き合う。
【００２０】
少なくとも１つの実施例において、前記第１の磁性部と前記第２の磁性部とが引き合う前記第１の位置及び/又は前記第２の位置で、前記第１の磁性部と前記第２の磁性部との対応する磁性体のずれた距離は、Ｌ/２より小さい。
【００２１】
少なくとも１つの実施例において、前記第２の磁性部の中央には、前記磁性体を設置しない空席が設置される。
【００２２】
少なくとも１つの実施例において、前記空席の前記長手方向における寸法は、１つの磁性体の長さである。
【００２３】
少なくとも１つの実施例において、前記第１の磁性部及び/又は第２の磁性部は、永久磁石又は電磁石を含む。
【００２４】
本開示の実施例の第２の側面は、本開示のいずれかの技術案に記載のスライドレールを含む移動端末を提供する。
【発明の効果】
【００２５】
本開示の実施例によって提供される技術案は、以下の有益効果のうち、少なくとも１つの効果を取得することができる。スライドレールのライフサイクル内において、第１の磁性部と第２の磁性部とによって発生された磁場が安定に維持され、両者の吸引力及び反発力が時間に伴って変化せず、スライドレールのスライド手触りも変化じない。また、第１の磁性部と第２の磁性部とが反発し合い状態で、安定に維持されがたいので、スライドレールには、デッドポイントが存在しない。
【００２６】
第１の磁性部を前記第１のスライド部の幅方向の両側に設置し、第２の磁性部を前記第２のスライド部の幅方向の両側に設置することにより、スライドレールに穴を開けてスライドレールの強度を低減させることはなく、スライドレールの中間部分をさらに薄くすることができる。
【００２７】
第１の磁性部と第２の磁性部との間にはスライドレールの高さ方向に沿う力がないため、スライドレールの第１のスライド部と第２のスライド部との間の隙間が均一である。
【００２８】
なお、以上の一般的な説明及び以下の詳細な説明は、単に例示及び解釈するためのものであり、本開示を限定するものではない。
【図面の簡単な説明】
【００２９】
ここの図面は、本明細書に組み込まれて本明細書の一部を構成し、本開示に適する実施例を示しており、明細書と共に、本開示の原理を説明するために用いられる。
【００３０】
【図１】例示的な一実施例によって示されるスライドレールの概略構造図である。
【図２】例示的な一実施例によって示されるスライドレールの第１のスライド部の部分拡大図である。
【図３】例示的な一実施例によって示されるスライドレールの第２のスライド部の部分拡大図である。
【図４】図１の側面図である。
【図５】例示的な一実施例によって示されるスライドレールの構造の部分拡大図である（第１のケースと第２のケースとを含まない）。
【図６ａ】例示的な一実施例によって示されるスライドレールのスライド過程の原理図（１）である。
【図６ｂ】例示的な一実施例によって示されるスライドレールのスライド過程の原理図（２）である。
【図６ｃ】例示的な一実施例によって示されるスライドレールのスライド過程の原理図（３）である。
【発明を実施するための形態】
【００３１】
ここで例示的な実施例を詳細に説明し、その例が図面に示される。以下の説明が図面に係る場合、他の示しがない限り、異なる図面における同一の数字が、同一又は類似の要素を示す。以下の例示的な実施例に記載される実施形態は、本出願と一致する全ての実施形態を表すものではない。むしろそれらは、単に特許請求の範囲に詳述されている、本開示の一部の側面と一致する装置及び方法の例である。
【００３２】
特別な説明がない限り、幅方向Ｘとは、スライドレールの幅方向であり、長手方向Ｙとは、スライドレールの長手方向、即ちスライドレールのスライド方向であり、高さ方向Ｚとは、スライドレールの高さ方向、即ち厚さ方向である。図面及び下記実施例において、Ｎ極とＳ極とは、同じ極性が反発し合い、異なる極性が引き合うことを示しやすくするためのものであり、本開示を限定するためのものではなく、Ｎ極とＳ極との位置は、入れ替えることができる。
【００３３】
図１〜図５に示すように、当該スライドレールは、第１のスライド部１と第２のスライド部２とを含み、第１のスライド部１と第２のスライド部２とは、矩形の平板状であってもよい。第１のスライド部１には、長手方向Ｙに延びるスライド溝１２が設置され、スライド溝１２は、例えば、Ｃ形溝である。第１のスライド部１と第２のスライド部２とが、長手方向Ｙに沿って相対スライドすることができるように、第２のスライド部２は、スライド溝１２内にスライド溝１２に沿ってスライド可能に取り付けられ、第１のスライド部１が第２のスライド部２の上方に位置する。なお、第１のスライド部１と第２のスライド部２とがスライド可能に接続されるように、第２のスライド部２に長手方向に延びるスライド溝が設置されてもよい。
【００３４】
第２のスライド部２には、第１の位置制限部２４と第２の位置制限部（図示せず）とが設置され、第１のスライド部１が第１の位置制限部２４と第２の位置制限部との間で長手方向Ｙに沿ってスライドすることができるように、第１の位置制限部２４と第２の位置制限部とは、第１のスライド部１を阻止することができる。第１のスライド部１が第１の位置制限部２４までスライドして停止した場合、第１のスライド部１は、第１の位置にあり（図１及び図５に示すように）、第１のスライド部１が第２の位置制限部までスライドして停止した場合、第１のスライド部１は、第２の位置にある。
【００３５】
なお、スライドレールには、第１の位置制限部２４と第２の位置制限部とを設置せず、スライドレールが取り付けられる、例えばケースのような構造部材に第１の位置制限部と第２の位置制限部とが設置されて、第１のスライド部１のストロークを制限する作用を奏することができる。
【００３６】
第１のスライド部１には、第１の磁性部１１が設置され、第１の磁性部１１は、第１のスライド部１の幅方向Ｘの反対の両側に設置することができる。第２のスライド部２には、第２の磁性部２１が設置され、第２の磁性部２１は、第２のスライド部２の幅方向Ｘの反対の両側に設置することができる。なお、第１の磁性部１１と第２の磁性部２１とは、幅方向Ｘの反対の両側に位置し、スライドレールの中間部分の空間を占用せず、スライドレールの中間部分の厚さを可能な限り薄くすることができる。具体的には、第２の磁性部２１は、第１の磁性部１１の幅方向Ｘの外側に位置することができ、つまり、第１のスライド部１は、第２のスライド部２の両側の第２の磁性部２１の間に位置し、第１の磁性部１１と第２の磁性部２１とが対向する。
【００３７】
第１の磁性部１１と第２の磁性部２１との幅方向Ｘにおける側面が対向し、つまり、第１の磁性部１１と第２の磁性部２１との対向する側面が幅方向Ｘに垂直する。スライドレールの両側の第１の磁性部１１と第２の磁性部２１との間の距離が同じであるので、スライドレールの両側の第１の磁性部１１と第２の磁性部２１との間の吸引力又は反発力は、大きさが等しく方向が反対であり、相殺することができ、磁力による第１のスライド部１への幅方向Ｘに沿う作用が生じない。
【００３８】
図２〜図４に示すように、当該実施例において、第１の磁性部１１は、第１のケース１１１を介して第１のスライド部１に取り付けられ、第１の磁性部１１は、第１のケース１１１内に取り付けられ、第１のケース１１１は、第１のスライド部１の幅方向Ｘの両側に取り付けられる。第２の磁性部２１は、第２のケース２１１を介して第２のスライド部３に取り付けられ、第２の磁性部２１は、第２のケース２１１内に取り付けられ、第２のケース２１１は、接続ブラケット２２を介して第２のスライド部２の幅方向Ｘの両側に取り付けられる。
【００３９】
図２、図５及び図６ａ〜図６ｃに示すように、長手方向Ｙに第１の磁性部１１のＮ極とＳ極とが交互に配列される。具体的には、第１の磁性部１１は、長手方向Ｙに配列される複数の磁性体１１２、例えば３つの磁性体１１２を有し、複数の磁性体１１２は、例えば、接着方式により接続することができる。複数の磁性体１１２が互いに引き合ってＮ極とＳ極とが交互に配列されるようになる。各磁性体１１２のＮ極とＳ極とが幅方向Ｘに設置される。なお、複数の磁性体１１２のＮ極とＳ極とが交互に配列されることさえ確保すれば、各磁性体１１２のＮ極とＳ極とが長手方向Ｙに設置されてもよいし、高さ方向Ｚに設置されてもよい。
【００４０】
当該実施例において、各磁性体１１２の長さを、いずれもＬとし、第１の磁性部１１の長さは、３Ｌである。
【００４１】
図３、図５及び図６ａ〜図６ｃに示すように、長手方向Ｙに第２の磁性部２１のＮ極とＳ極とが交互に配列され、第２の磁性部２１の長手方向Ｙにおける寸法は、第１の磁性部１１の長手方向Ｙにおける寸法よりも長いため、第１のスライド部１がスライドする過程で、第１の磁性部１１は、第２の磁性部２１の異なる部分に対応することができる。当該実施例において、第２の磁性部２１の長さは５Ｌである。
【００４２】
具体的には、第２の磁性部２１は、長手方向Ｙに配列される複数の磁性体２１２を有し、複数の磁性体２１２は、例えば、接着方式により接続することができる。各磁性体２１２のＮ極とＳ極とが幅方向Ｘに設置される。なお、複数の磁性体２１２のＮ極とＳ極とが交互に配列されることさえ確保すれば、各磁性体２１２のＮ極とＳ極とが長手方向Ｙに設置されてもよいし、高さ方向Ｚに設置されてもよい。
【００４３】
さらに、第２の磁性部２１の複数の磁性体２１２は、連続的に配列されるものでなくてもよく、例えば、第２の磁性部２１には、磁性体２１２を設置しない空席２３が設置されてもよい。
【００４４】
具体的には、例えば、第２の磁性部２１は、４つの磁性体２１２を含み、第２の磁性部２１の中間位置には、空席２３が設置され、２つの磁性体２１２が空席２３の一側に設置され、もう２つの磁性体２１２が空席２３の他側に設置される。空席２３の両側の磁性体２１２の極性は、対称である。空席２３の長さは、１つの磁性体２１２の長さと同じであり、各磁性体２１２の長さは、いずれもＬである。
【００４５】
なお、第２の磁性部２１に空席２３が設置されることにより、第１の磁性部１１が空席２３に対応する位置にスライドした場合、第１の磁性部１１が受ける磁力を小さくすることができ、第１のスライド部１及び第２のスライド部２のスライド過程がさらにスムーズになる。なお、４つの磁性体２１２が接続されるように、空席２３に非磁性材料が設置されてもよい。
【００４６】
第１の磁性部１１と第２の磁性部２１とは、高さが同じであり、即ち高さ方向Ｚに高度差がないので、第１の磁性部１１と第２の磁性部２１との間に、高さ方向Ｚに磁力作用が存在せず、第１のスライド部１と第２のスライド部２との高さ方向Ｚにおける間隙が均一であることを確保することができる。
【００４７】
なお、第１の磁性部１１及び/又は第２の磁性部２１の磁性体１１２、２１２は、永久磁石又は電磁石であってもよい。電磁石は、通電方向及び電流強度を変更することにより、磁性体１１２、２１２の磁場方向及び磁場強度を変更することができ、スライドレールの自動スライドを実現するとともに、スライドの方向及び速度を調節することができる。
【００４８】
第１のスライド部１と第２のスライド部２との間には、支持部（図示せず）が設置されてもよく、支持部は、第１のスライド部１を支持し、支持部は、例えば、ストライプ状又は点状であり、支持部は、ＰＯＭのような耐摩耗性材料によって形成されてもよい。支持部により第１のスライド部１を支持することは、第１のスライド部１と第２のスライド部２との大面積の接触を回避することができ、第１のスライド部１と第２のスライド部２との間の摩擦が小さくなる。なお、支持部は、第１のスライド部１に接続されてもよいし、第２のスライド部２に接続されてもよい。さらに、支持部の表面に潤滑剤が塗布されることにより、第１のスライド部１と第２のスライド部２との間の摩擦をさらに小さくすることができる。
【００４９】
図６ａ〜６ｃに示すように、第１のスライド部１が第１の位置から第２の位置までスライドする過程について、以下に説明する。
【００５０】
図６ａに示すように、第１のスライド部１が第１の位置にある場合、第１の位置制限部２４の作用で、第１の磁性部１１のＮ極と第２の磁性部２１のＳ極とが対向するようになり、第１の磁性部１１のＳ極と第２の磁性部２１のＮ極とが対向するようになる。好ましくは、第１の磁性部１１のＮ極と第２の磁性部２１のＳ極とは、一部が対向し、第１の磁性部１１のＳ極と第２の磁性部２１のＮ極とは、一部が対向する。第１の磁性部１１のＮ極と第２の磁性部２１のＳ極とが対向する部分は、第１の磁性部１１のＮ極と第２の磁性部２１のＮ極とが対向する部分より大きく、第１の磁性部１１のＳ極と第２の磁性部２１のＮ極とが対向する部分は、第１の磁性部１１のＳ極と第２の磁性部２１のＳ極とが対向する部分より大きく、即ち第１の磁性部１１と第２の磁性部２１とが引き合う。なお、完全な対向と比較して、一部対向の場合、第１の磁性部１１と第２の磁性部２１との吸引力がより小さく、スライドレールがスライドするように外力を加えて押すときに必要な力をより小さくすることができる。
【００５１】
具体的には、第１のスライド部１が第１の位置にある場合、第１の磁性部１１の長さがＬで磁性体１１２と、第２の磁性部２１の長さがＬである磁性体２１２との同じ極性が対向する部分の長さはＤであり、異なる極性が対向する部分の長さはＬ−Ｄである。つまり、第１の磁性部１１と第２の磁性部２１とが長さ方向Ｙにずれる距離はＤである。なお、第１の磁性部１１と第２の磁性部とが引き合うようにするために、Ｄを、Ｌ/２より小さくする。第１の磁性部１１と第２の磁性部２１とが引き合うことにより、第１のスライド部１が、外力の作用を受けないとき、第１の位置に維持され、第２のスライド部２に対してスライドしないようになる。
【００５２】
外力の作用で左へ第１のスライド部１を押し、第１のスライド部１は、第１の磁性部１１と第２の磁性部２１との吸引力を克服して左へスライドする。
【００５３】
図６ｂに示すように、第１のスライド部１がＬ−Ｄの距離スライドした場合、第１のスライド部１は、第３の位置にある。第１の磁性部１１のＮ極と第２の磁性部２１のＮ極とが対向し、第１の磁性部１１と第２の磁性部２１とが反発し合い、第１のスライド部１が安定に維持されにくい。慣性の作用で第１のスライド部１が引き続き左へスライドし、このとき、第１の磁性部１１と第２の磁性部２１との反発力は、引き続き左へスライドするように第１の磁性部１１を押すことができ、つまり、外力で第１のスライド部１がＬ−Ｄの距離スライドした後、たとえ外力を加えなくても、第１のスライド部１は、磁力の作用で引き続きスライドすることができる。
【００５４】
図６ｃに示すように、第１のスライド部１は、引き続き第２の位置までスライドし、第２の位置制限部に阻止されて停止するようになる。第１の磁性部１１のＮ極と第２の磁性部２１のＳ極とが対向するようになり、第１の磁性部１１のＳ極と第２の磁性部２１のＮ極とが対向するるようになる。好ましくは、第１の磁性部１１のＮ極と第２の磁性部２１のＳ極とは、一部が対向し、第１の磁性部のＳ極と第２の磁性部２１のＮ極とは、一部が対向する。第１の磁性部１１のＮ極と第２の磁性部２１のＳ極とが対向する部分は、第１の磁性部１１のＮ極と第２の磁性部２１のＮ極とが対向する部分より大きく、第１の磁性部１１のＳ極と第２の磁性部２１のＮ極とが対向する部分は、第１の磁性部１１のＳ極と第２の磁性部２１のＳ極とが対向する部分より大きく、即ち第１の磁性部１１と第２の磁性部２１とが引き合う。なお、完全な対向と比較して、一部対向の場合、第１の磁性部１１と第２の磁性部２１との吸引力がより小さく、スライドするようにスライドレールを外力を加えて押すときに必要な力がより小さくなる。
【００５５】
具体的には、第１のスライド部１が第２の位置にある場合、第１の磁性部１１の長さがＬである磁性体１１２と、第２の磁性部２１の長さがＬである磁性体２１２との同じ極性が対向する部分の長さはＤであり、異なる極性が対向する部分の長さはＬ−Ｄである。なお、第１のスライド部１のスライドレールの長手方向Ｙに沿うストロークは２（Ｌ−Ｄ）である。なお、第１のスライド部が第１の位置及び第２の位置にあるとき、第１の磁性部１１のＮ極と第２の磁性部２１のＳ極とが完全に対向すると、第１の磁性部１１のＳ極と第２の磁性部２１のＮ極とが完全に対向するようになり、即ちＤ＝０であり、第１のスライド部１のスライドレールの長手方向Ｙに沿うストロークは２Ｌである。第１のスライド部が第１の位置又は第２の位置にあるとき、第１の磁性部１１のＮ極と第２の磁性部２１のＳ極とが完全に対向すると、第１の磁性部１１のＳ極と第２の磁性部２１のＮ極とが完全に対向するようになり、第１のスライド部１のスライドレールの長手方向Ｙに沿うストロークは２Ｌ−Ｄである。
【００５６】
なお、外力の作用で第１のスライド部１のスライド距離がＬ−Ｄより小さいとき、第１のスライド部１が十分な速度を有して、第１の磁性部１１と第２の磁性部１２との吸引力を克服して、第１のスライド部１を引き続き運動させることができると、第１のスライド部１は、Ｌ−Ｄの距離運動して、第２の位置まで運動することができる。第１のスライド部１が十分な速度を有しないと、第１のスライド部１は、第１の磁性部１１と第２の磁性部２１との作用で第１の位置に戻る。外力の作用で第１のスライド部１のスライド距離がＬ−Ｄより大きく、かつ２（Ｌ−Ｄ）より小さい場合、第１のスライド部１は、第１の磁性部１１と第２の磁性部２１との作用で、第１のスライド部１を第２の位置まで運動させることができる。
【００５７】
なお、第１の磁性部１１と第２の磁性部２１との磁性が強いほど、第１の磁性部１１と第２の磁性部２１との吸引力及び反発力が大きく、第１の位置又は第２の位置からスライドレールをスライドさせるのに必要な力も大きい。
【００５８】
第１のスライド部１が第２の位置から第１の位置までスライドする過程と、第１の位置から第２の位置までスライドする過程とは、反対であり、これでは詳しく説明しない。
【００５９】
当業者は、明細書を考慮して、またここに開示された発明を実践した後、本開示の他の実施案を容易に想到することができる。本出願は、本開示のあらゆる変形、用途、又は適応的な変更をカバーすることを目的とし、これらの変形、用途、又は適応的な変更は、本開示の一般的原理に従うものであり、また、本開示で開示されていない当分野における公知知識又は慣用技術手段を含む。明細書及び実施例は、単に例示するものであり、本開示の本当の範囲及び主旨は、添付の特許請求の範囲によって示される。
【００６０】
なお、本開示は、上記説明に記載され、図面に示されている厳密な構成に限定されず、その範囲から逸脱しない限り、様々な修正及び変更を行うことができる。本開示の範囲は、添付の特許請求の範囲のみによって限定される。
【符号の説明】
【００６１】
１     第１のスライド部
１１   第１の磁性部
１１１ 第１のケース
１１２ 磁性体
１２   スライド溝
２     第２のスライド部
２１   第２の磁性部
２１１ 第２のケース
２１２ 磁性体
２２   接続ブラケット
２３   空席
２４   第１の位置制限部
Ｘ     幅方向
Ｙ     長手方向
Ｚ     高さ方向
【図１】
2020532885.tif 000003
【図２】
2020532885.tif 000004
【図３】
2020532885.tif 000005
【図４】
2020532885.tif 000006
【図５】
2020532885.tif 000007
【図６ａ】
2020532885.tif 000008
【図６ｂ】
2020532885.tif 000009
【図６ｃ】
2020532885.tif 000010
【国際調査報告】
2020532885.tif 000011
2020532885.tif 000012
2020532885.tif 000013
2020532885.tif 000014